(57)【要約】【課題】部品点数が増加することなく、落下などにより衝撃が生じた場合でも、スムーズなズーミング動作を維持することができるズームレンズ鏡筒を提供する。【解決手段】摺動筒１２は半径方向の一方側に突出するカムフォロア１２Ａと、半径方向の他方側に突出する直進コマ１２Ｂとを有し、第２回転筒８にはカムフォロア１２Ａが入り込むカム溝８Ａが形成されており、外筒１４には直進コマ１２Ａが入り込む縦溝１４Ｂが形成されており、外筒１４に対して第２回転筒８が回転されることにより、摺動筒１２が光軸方向に繰り出されるズームレンズ鏡筒であって、直進コマ１２Ｂは摺動筒１２の半径方向の他方側に突出するナット７４を有し、第２回転筒８にはカム溝８Ａに加えて補助カム溝８Ｃが形成されており、補助カム溝８Ｃに直進コマ１２Ｂのナット７４が入り込んでいる。【選択図】図４
2020046462.tif 000002
【特許請求の範囲】
【請求項１】
摺動筒と、
前記摺動筒の半径方向の一方側に設けられた回転筒と、
前記摺動筒の半径方向の他方側に設けられた筒部材と、を含み、
前記摺動筒は半径方向の一方側に突出する第１のコマ部材と、半径方向の他方側に突出する第２のコマ部材とを有し、
前記回転筒には前記第１のコマ部材が入り込むカム溝が形成されており、
前記筒部材には前記第２のコマ部材が入り込む溝が形成されており、
前記筒部材に対して前記回転筒が回転されることにより、前記摺動筒が光軸方向に繰り出されるズームレンズ鏡筒であって、
前記摺動筒は、前記第２のコマ部材の半径方向の他方側に突出する突出部を有し、
前記回転筒には前記カム溝に加えて補助カム溝が形成されており、
前記補助カム溝に前記第２のコマ部材の前記突出部が入り込んでいる、ことを特徴とするズームレンズ鏡筒。
【請求項２】
前記補助カム溝は、前記カム溝と同一の軌跡を有する形状である、請求項１に記載のズームレンズ鏡筒。
【請求項３】
前記第１のコマ部材は弾性材料からなるローラを有し、当該ローラが前記カム溝に入り込んでおり、
前記ローラの直径は前記カム溝の幅と略等しい、請求項１又は２に記載のズームレンズ鏡筒。
【請求項４】
前記第２のコマ部材の前記突出部は、前記補助カム溝の側面との間に隙間が形成された状態で前記補助カム溝内に入り込んでいる、請求項３に記載のズームレンズ鏡筒。
【請求項５】
前記突出部の材質は、前記ローラの材質よりも硬い、請求項３又は４に記載のズームレンズ鏡筒。
【発明の詳細な説明】
【技術分野】
【０００１】
本発明は、ズームレンズ鏡筒に関する。
【背景技術】
【０００２】
従来より、ズームレンズ鏡筒におけるズーミングの機構として、カムフォロアが立設された第１の鏡筒と、カム溝が形成された第２の鏡筒とを用い、カムフォロアをカム溝に係合させ、第１の鏡筒を第２の鏡筒に対して回転させることにより、第１の鏡筒を進退させる構成が知られている。
【０００３】
このようなズームレンズ鏡筒を誤って落下してしまうと、カムフォロアがカム溝から脱落したり、カムフォロアがカム溝の縁に衝突してカム溝の周縁部に破損等の変形が生じてしまったりする。カム溝に変形が生じると、スムーズなズーミング動作を行うことができなくなる。
【０００４】
これに対して、特許文献１には、駆動枠に設けられた同一形状のカムピン及び脱落防止用ピンを、カム枠に設けられたカム溝及び脱落防止用溝にそれぞれ係合させることにより、カムピンがカム溝から脱落するのを防止する構成が開示されている。
【先行技術文献】
【特許文献】
【０００５】
【特許文献１】特開２００５−１２８１８８号公報
【発明の概要】
【発明が解決しようとする課題】
【０００６】
しかしながら、特許文献１に記載された構成では、新たに脱落防止用ピンを追加する必要があり、部品点数が増加してしまう。
【０００７】
本発明は、上記の問題に鑑みなされたものであり、部品点数が増加することなく、落下などにより衝撃が生じた場合でも、スムーズなズーミング動作を維持することができるズームレンズ鏡筒を提供することを目的とする。
【課題を解決するための手段】
【０００８】
本発明のズームレンズ鏡筒は、摺動筒と、摺動筒の半径方向の一方側に設けられた回転筒と、摺動筒の半径方向の他方側に設けられた筒部材と、を含み、摺動筒は半径方向の一方側に突出する第１のコマ部材と、半径方向の他方側に突出する第２のコマ部材とを有し、回転筒には第１のコマ部材が入り込むカム溝が形成されており、筒部材には第２のコマ部材が入り込む溝が形成されており、筒部材に対して回転筒が回転されることにより、摺動筒が光軸方向に繰り出されるズームレンズ鏡筒であって、摺動筒は、第２のコマ部材の半径方向の他方側に突出する突出部を有し、回転筒にはカム溝に加えて補助カム溝が形成されており、補助カム溝に第２のコマ部材の突出部が入り込んでいる、ことを特徴とする。
【０００９】
上記構成の本発明によれば、摺動筒に衝撃が加わった場合であっても、第２のコマ部材の突出部が補助カム溝の縁にぶつかり、第１のコマ部材がカム溝に衝突する際の衝撃を削減又は無くすことができる。これにより、第１のコマ部材又はカム溝が破損することを防止し、スムーズなズーミング動作を維持することができる。また、第２のコマ部材の突出部を利用しているため、新たな部材を設ける必要がなく、部材点数の増加を防止できる。
【００１０】
また、本発明において好ましくは、補助カム溝は、カム溝と同一の軌跡を有する形状である。
上記構成の本発明によれば、スムーズなズーミングを維持することができるとともに、補助カム溝を形成するためのスペースを容易に確保することができる。
【００１１】
また、本発明において好ましくは、第１のコマ部材は弾性材料からなるローラを有し、ローラがカム溝に入り込んでおり、ローラの直径はカム溝の幅と略等しい。
【００１２】
上記構成の本発明によれば、摺動筒に衝撃が加わった場合であっても、第１のコマ部材のローラが弾性変形する。これにより、第１のコマ部材又はカム溝が破損することをより確実に防止できる。
【００１３】
また、本発明において好ましくは、第２のコマ部材の突出部は、補助カム溝の側面との間に隙間が形成された状態で補助カム溝内に入り込んでいる。
【００１４】
上記構成の本発明によれば、ズーミング時には、第１のコマ部材及びカム溝により摺動筒が案内されるため、スムーズなズーミング動作を維持することができる。そして、摺動筒に衝撃が加わり、第１のコマ部材のローラが弾性変形すると、第２のコマ部材の補助カム溝の側部と当接し、第１のコマ部材又はカム溝が破損することを防止できる。
【００１５】
また、本発明において好ましくは、突出部の材質は、ローラの材質よりも硬い。
上記構成の本発明によれば、衝撃が加わった場合に第２のコマ部材が補助カム溝の側部と当接すると、ローラに作用する衝撃が非常に小さくなるため、ローラの破損を防止することができる。
【発明の効果】
【００１６】
本発明によれば、部品点数が増加することなく、落下などにより衝撃が生じた場合でも、スムーズなズーミング動作を維持することができるズームレンズ鏡筒を提供することができる。
【図面の簡単な説明】
【００１７】
【図１】第１実施形態のズームレンズ鏡筒を示す光軸に沿った縦断面図であり、広角状態を示す。
【図２】第１実施形態のズームレンズ鏡筒を示す光軸に沿った縦断面図であり、図２は望遠状態を示す。
【図３】図１に示すズームレンズ鏡筒の内側固定筒及び第１回転筒を示す斜視図である。
【図４】図１に示すズームレンズ鏡筒における摺動筒、外筒、第２回転筒及び、固定筒を示す斜視図である。
【図５】図１に示すズームレンズ鏡筒の摺動筒のカムフォロアを拡大して示す断面図である。
【図６】図１に示すズームレンズ鏡筒の摺動筒の直進コマを拡大して示す断面図である。
【発明を実施するための形態】
【００１８】
以下、本発明のズームレンズ鏡筒の一実施形態を、図面を参照しながら詳細に説明する。
図１及び図２は、第１実施形態のズームレンズ鏡筒を示す光軸に沿った縦断面図であり、図１は広角状態を示し、図２は望遠状態を示す。
図１及び図２に示すように、本実施形態の鏡筒１は、第１レンズ群Ａ、第２レンズ群Ｂ、第３レンズ群Ｃ、第４レンズ群Ｄ、及び第５レンズ群Ｅを備える。第４レンズ群Ｄは、手振れ防止のために光軸と直交する方向へシフトされるシフトレンズ群を含む。
【００１９】
ズームレンズ鏡筒１は、カメラボディーに取り付けられるマウント２と、このマウント２に一体の外側固定筒４及び内側固定筒６と、内側固定筒６の内側に配置された第１回転筒１０と、を有する。外側固定筒４は結像側の後方外側固定筒４Ａと、被写体側の前方外側固定筒４Ｂとが接続されて構成されている。前方外側固定筒４Ｂの外周には、ズーム操作リング２２が回転可能に配置されている。また、後方外側固定筒４Ａの外周にはフォーカス操作リング２０が回転可能に配置されている。
【００２０】
図３は、図１に示すズームレンズ鏡筒の内側固定筒及び第１回転筒を示す斜視図である。同図に示すように、内側固定筒６は、被写体側の前方円筒部６Ａと、結像側の後方円筒部６Ｂとが接続されてなる。前方円筒部６Ａは後方円筒部６Ｂよりも径が大きく、前方円筒部６Ａと後方円筒部６Ｂとは段状に接続されている。また、第１回転筒１０は被写体側の前方円筒部１０Ａと、結像側の後方円筒部１０Ｃと、前方円筒部１０Ａ及び後方円筒部１０Ｃとの間の中間円筒部１０Ｂとが接続されてなる。前方円筒部１０Ａは中間円筒部１０Ｂよりも径が大きく、前方円筒部１０Ａと中間円筒部１０Ｂとは段状に接続されおり、中間円筒部１０Ｂは後方円筒部１０Ｃよりも径が大きく、中間円筒部１０Ｂと後方円筒部１０Ｃとは段状に接続されている。
【００２１】
また、図１及び図２に示すように、内側固定筒６の外側には、第２回転筒８が配置され、第２回転筒８の外側には、摺動筒１２が配置されている。また、摺動筒１２の外側、かつ、前方外側固定筒４Ｂの内側には外筒（筒部材）１４が配置されている。第１回転筒１０と第２回転筒８とは先端部で連結されており、第１回転筒１０及び第２回転筒８は連動して回転しながら進退する。
【００２２】
図４は、図１に示すズームレンズ鏡筒における摺動筒、外筒、第２回転筒及び、固定筒を示す斜視図である。
第２回転筒８の結像側端部の内面にはカムフォロア８Ｄが立設されている。また、内側固定筒６の前方円筒部６Ａには被写体側に向かって周方向に所定の方向に傾斜するカム溝６ａが形成されている。第２回転筒８のカムフォロア８Ｄは、内側固定筒６のカム溝６ａに嵌まり込んでいる（係合している）。これにより、ズーム操作リング２２が回転されると、ズーム操作リング２２に連動して、内側固定筒６に対して第１回転筒１０及び第２回転筒８が回転し、光軸方向に進退する。
【００２３】
外筒１４は後端部の外面に直進コマ１４Ａが形成されており、この直進コマ１４Ａは外側固定筒４の前方外側固定筒４Ｂの内面に形成された光軸方向に延びる縦溝に嵌まり込んでいる。これにより、外筒１４は、回転が拘束されるとともに、前後方向に進退可能である。
【００２４】
摺動筒１２は後端部の外面に直進コマ（第２のコマ部材）１２Ａが形成されており、この直進コマ１２Ａは外筒１４の内面に形成された光軸方向に延びる縦溝１４Ｂに嵌まり込んでいる。これにより、摺動筒１２は、回転が拘束されるとともに、外筒１４に対して前後方向に進退可能である。
【００２５】
第２回転筒８は外面に、被写体側に向かって所定の周方向に傾斜して延びるようにカム溝８Ａが形成されている。このカム溝８Ａには摺動筒１２の後端部の内面に立設されたカムフォロア（第１のコマ部材）１２Ｂが嵌まり込んでいる。また、第２回転筒８の後端部には周方向に延びる横溝８Ｂが形成されている。この横溝８Ｂには、外筒１４の後端部の内面に立設されたコマ１４Ｃが嵌まり込んでいる。さらに、周方向に隣接するカム溝８Ａの間には、カム溝８Ａと同形状、すなわち、同一の軌跡を有する形状の補助カム溝８Ｃが形成されている。カム溝８Ａ及び補助カム溝８Ｃは周方向に等間隔で設けられている。
【００２６】
図５は、図１に示すズームレンズ鏡筒の摺動筒のカムフォロアを拡大して示す断面図である。また、図６は、図１に示すズームレンズ鏡筒の摺動筒の直進コマを拡大して示す断面図である。図５に示すように、摺動筒１２のカムフォロア１２Ｂは、ビス６０と、カムフォロア軸６２と、ローラ６４とを備える。カムフォロア軸６２は円盤状であり、中心に貫通孔６２Ａが形成されている。カムフォロア１２Ｂは、カムフォロア軸６２を摺動筒１２の内面の貫通孔１２Ｃに当たる位置に配置し、ビス６０を摺動筒１２の外側から貫通孔１２Ｃを挿通させ、ビス６０の先端部をカムフォロア軸６２の貫通孔６２Ａに螺合させることにより摺動筒１２に取り付けられている。カムフォロア軸６２の先端部６２Ｂは他の部位に比べて小径になっており、この先端部６２Ｂにローラ６４が回転自在に取り付けられている。ローラ６４は、例えば、ゴムなどの弾性変形可能な材料により形成されている。カムフォロア１２Ｂは取り付け状態において、ビス６０の頭部が摺動筒１２の外面から突出せず、カムフォロア軸６２及びローラ６４が内面から突出している。カムフォロア１２Ｂのローラ６４の外径は、第２回転筒８のカム溝８Ａの幅と略等しくなっている。カムフォロア１２Ｂは、ローラ６４がカム溝８Ａの内面に当接した状態で、カム溝８Ａに係合している。
【００２７】
図６に示すように、摺動筒１２の直進コマ１２Ａは、ビス７０と、コマ部材７２と、ナット部材７４とを備える。コマ部材７２は円盤状であり、中心に貫通孔７２Ａが形成されている。直進コマ１２Ａは、摺動筒１２の外面の貫通孔１２Ｄに当たる位置にコマ部材７２を配置し、ビス７０をコマ部材７２の貫通孔７２Ａ、及び、摺動筒１２の貫通孔１２Ｄを挿通させ、ビス７０の先端部にナット７４を締め付けることにより、摺動筒１２に取り付けられている。直進コマ１２Ａを摺動筒１２に取り付けた状態において、コマ部材７２が摺動筒１２の外面から突出しており、ナット７４が摺動筒の内面から突出している。コマ部材７２は、外筒１４の縦溝１４Ｂに入り込んでおり、また、ナット７４が第２回転筒８の補助カム溝８Ｃ内に入り込んでいる。ナット７４は円形であり、ナット７４の直径は補助カム溝８Ｃの幅よりもわずかに小さくなっており、ナット７４と補助カム溝８Ｃの側面との間には隙間が設けられている。直進コマ１２Ａのナット７４は、好ましくは、真鍮又はステンレスなどの金属等のカムフォロア１２Ｂのローラ６４よりも硬い材料で形成されている。なお、このナット７４と補助カム８Ｃの間の隙間は、ローラ６４の半径方向の厚みよりも小さい。
【００２８】
これら直進コマ１２Ａ及びカムフォロア１２Ｂは摺動筒１２に周方向に等間隔で設けられている。カムフォロア１２Ｂが摺動筒１２のカム溝８Ａに沿って移動すると、これにともない、ナット７４が補助カム溝８Ｃ内を移動する。なお、本実施形態では、カム溝８Ａと補助カム溝８Ｃとは同形状であるが、これに限らず、例えば、補助カム溝８Ｃに入り込むナット７４の外径が大きい場合には、これに合わせて幅を広げてもよく、要するに、カムフォロア１２Ｂがカム溝８Ａに沿って移動する際に、ナット７４が補助カム溝８Ｃ内を移動可能であるように、補助カム溝８Ｃはカム溝８Ａに対応する形状であればよい。
【００２９】
このような構成により、第１回転筒１０に連動して第２回転筒８が回転すると、第２回転筒８は外筒１４とともに光軸方向に移動し、さらに、摺動筒１２が第２回転筒８に対して光軸方向に進退する。
【００３０】
図１及び図２に示すように、第１レンズ群Ａは、第１レンズ枠３０により囲まれて保持されている。第１レンズ枠３０は摺動筒１２の先端部の内側に取り付けられている。上述の通り、内側固定筒６に対して第１回転筒１０が回転されると、第２回転筒８が光軸方向に進退するとともに、摺動筒１２が第２回転筒８に対して進退する。
【００３１】
第２レンズ群Ｂは、第２レンズ枠３２により囲まれて保持されている。第２レンズ枠３２の外周面にはコマ３２Ａが立設されている。コマ３２Ａは、第１回転筒１０に形成された縦溝１０ａと、内側固定筒６のカム溝６ｃに入り込んでいる。これにより、第２レンズ枠３２は、内側固定筒６に対して第１回転筒１０が回転しながら進退すると、第１回転筒１０と連動して回転するとともに、第１回転筒１０に対して進退する。
【００３２】
第３レンズ群Ｃは、第３レンズ枠３４により囲まれて保持されている。第３レンズ枠３４の外周面にはコマ３４Ａが立設されている。コマ３４Ａは、第１回転筒１０に形成されたカム溝１０ｂに入り込んでいる。また、第３レンズ群Ｃは、第４レンズ群Ｄから延びるガイド部材（図示せず）により回転が拘束されている。これにより、第３レンズ枠３４は、内側固定筒６に対して第１回転筒１０が回転しながら進退すると、回転することなく、第１回転筒１０に対して進退するように構成されている。
【００３３】
第４レンズ群Ｄは、第４レンズ枠３６により囲まれて保持されている。第４レンズ枠３６の外周面にはコマ３６Ａが立設されている。コマ３６Ａは、第１回転筒１０に形成された横溝１０ｃと、内側固定筒６の内面に形成された縦溝（図示せず）に入り込んでいる。これにより、第１回転筒１０が内側固定筒６に対して回転しながら進退すると、第４レンズ枠３６は回転することなく、第１回転筒１０とともに進退する。
【００３４】
第５レンズ群は、第５レンズ枠３８により囲まれて保持されている。第５レンズ枠３８の外周面にはコマ３８Ａが立設されている。コマ３８Ａは、第１回転筒１０に形成されたカム溝１０ｄと、第４レンズ枠３６に形成された縦溝（図示せず）に入り込んでいる。これにより、第５レンズ枠３８は、内側固定筒６に対して第１回転筒１０が回転されると、回転することなく、第１回転筒１０に対して進退するように構成されている。
【００３５】
また、ズームレンズ鏡筒１は、第２レンズ群Ｂと第３レンズ群Ｃとの間に配置された絞り機構４０を備える。
【００３６】
以下、本実施形態のズームレンズ鏡筒におけるズーミング操作について説明する。
ズームレンズ鏡筒１は、マウント２をカメラボディーに取り付けて使用される。マウント２をカメラボディーに取り付けることにより、外側固定筒４及び内側固定筒６がカメラボディーに対して固定される。ズーム操作は、ズーム操作リング２２を回転させることにより行うことができる。ズーム操作リング２２を回転させると、これと連動して第１回転筒１０及び第２回転筒８が回転する。
【００３７】
第１回転筒１０が内側固定筒６に対して回転されると、第１回転筒１０は光軸方向に移動する。また、第１回転筒１０が内側固定筒６に対して回転されると、第２、第３、第４、第５レンズ枠３２、３４、３６、３８がそれぞれ、光軸方向に移動する。
【００３８】
さらに、第２回転筒８が回転すると、第２回転筒８は外筒１４とともに光軸方向に移動し、さらに、摺動筒１２が第２回転筒８に対して光軸方向に進退する。これにより、第１レンズ枠３０が光軸方向に移動する。
これにより、各レンズ群が光軸方向に移動し、ズーミングが行われる。
【００３９】
ここで、ズームレンズ鏡筒１をカメラに取り付けた状態で落下し、摺動筒１２が地面に衝突すると、摺動筒１２に衝撃が加わる。摺動筒１２に衝撃が加わると、まず、カムフォロア１２Ｂのローラ６４が第２回転筒８のカム溝８Ａに当接しているため、ローラ６４がカム溝８Ａの側面とカムフォロア軸６２に挟まれた部分が圧縮される。このようにローラ６４の一部が圧縮されると、直進コマ１２Ａのナット７４の側部が補助カム溝８Ｃの側面に当接する。このため、ローラ６４がこれ以上圧縮変形することなく、カムフォロア１２Ｂ及びカム溝８Ａに過度の力が作用するのを防止できる。これにより、カムフォロア１２Ｂ及びカム溝８Ａの破損を防止できる。
【００４０】
以上説明したように、本実施形態によれば、以下の効果が奏される。
本実施形態によれば、摺動筒１２に衝撃が加わった場合であっても、直進コマ１２Ａのナット７４が補助カム溝８Ｃの縁にぶつかり、カムフォロア１２Ｂがカム溝８Ａに衝突する際の衝撃を無くすことができる。これにより、カムフォロア１２Ｂ又はカム溝８Ａが破損することを防止し、スムーズなズーミング動作を維持することができる。また、直進コマ１２Ａのナット７４を利用しているため、新たな部材を設ける必要がなく、部材点数の増加を防止できる。
【００４１】
また、本実施形態では、補助カム溝８Ｃは、カム溝８Ａと同一の軌跡を有する形状である。これにより、スムーズなズーミングを維持することができるとともに、補助カム溝８Ｃを形成するためのスペースを容易に確保することができる。
【００４２】
また、本実施形態では、カムフォロア１２Ｂは弾性材料からなるローラ６４を有し、ローラ６４がカム溝８Ａに入り込んでおり、ローラ６４の直径はカム溝８Ａの幅と略等しい。このような本実施形態によれば、摺動筒１２に衝撃が加わった場合であっても、カムフォロア１２Ｂのローラ６４が弾性変形する。これにより、カムフォロア１２Ｂ又はカム溝８Ａが破損することをより確実に防止できる。
【００４３】
また、本実施形態では、直進コマ１２Ａのナット７４は、補助カム溝８Ｃの側面との間に隙間が形成された状態で、補助カム溝８Ｃ内に入り込んでいる。このような本実施形態によれば、ズーミング時には、カムフォロア１２Ｂ及びカム溝８Ａにより摺動筒１２が案内されるため、スムーズなズーミング動作を維持することができる。そして、摺動筒１２に衝撃が加わり、カムフォロア１２Ｂのローラ６４が弾性変形すると、直進コマ１２Ａの補助カム溝８Ｃの側部と当接し、カムフォロア１２Ｂ又はカム溝８Ａが破損することを防止できる。
【００４４】
また、本実施形態では、直進コマ１２Ａのナット７４の材質は、ローラ６４の材質よりも硬い。これにより、衝撃が加わった場合に直進コマ１２Ａが補助カム溝８Ｃの側部と当接すると、ローラ６４に作用する衝撃が非常に小さくなるため、ローラ６４の破損を防止することができる。
【００４５】
なお、本実施形態では、摺動筒１２の半径方向外側に縦溝１４Ｂが形成された外筒１４が配置され、摺動筒１２の半径方向内側にカム溝８Ａ及び補助カム溝８Ｃが形成された第２回転筒８が配置された場合について説明したが、これに限らず、カム溝及び補助カム溝が形成された回転筒を摺動筒の半径方向外側に配置し、縦溝が形成された縦溝筒を摺動筒の半径方向内側に配置した場合であっても、本発明を適用できる。
【００４６】
また、本実施形態では、直進コマ（第２のコマ部材）１２Ａのコマ部材７２が外筒１４の縦溝１４Ｂに入り込んでいる場合について説明したが、これに限らず、第２のコマ部材は、カム溝に嵌まり込んでいてもよい。
【００４７】
また、本実施形態では、筒部材が回転しない外筒１４である場合について説明したが、筒部材は回転する部材であってもよい。この場合には、回転筒（第２回転筒８）と、筒部材とが異なる回転角度で回転することにより、筒部材と回転筒とが相対的に回転されれば本発明を適用できる。
【００４８】
また、本実施形態では、補助カム溝８Ｃの形状が、カム溝８Ａと同一軌跡の形状である場合に説明したが、本発明はこれに限られない。例えば、補助カム溝８Ｃの物体側の傾斜がカム溝８Ａよりも緩くなっていてもよい。このような構成によれば、落下した際の衝撃をより効率よく吸収することができる。
【符号の説明】
【００４９】
１      ズームレンズ鏡筒
２      マウント
４      外側固定筒
４Ａ    後方外側固定筒
４Ｂ    前方外側固定筒
６      内側固定筒
６Ａ    前方円筒部
６Ｂ    後方円筒部
６ａ    カム溝
６ｃ    カム溝
８      第２回転筒
８Ａ    カム溝
８Ｂ    横溝
８Ｃ    補助カム溝
８Ｄ    カムフォロア
１０    第１回転筒
１０Ａ  前方円筒部
１０Ｂ  中間円筒部
１０Ｃ  後方円筒部
１０ａ  縦溝
１０ｂ  カム溝
１０ｃ  横溝
１０ｄ  カム溝
１２    摺動筒
１２Ａ  直進コマ
１２Ｂ  カムフォロア
１２Ｃ  貫通孔
１２Ｄ  貫通孔
１４    外筒
１４Ａ  直進コマ
１４Ｂ  縦溝
１４Ｃ  コマ
２０    フォーカス操作リング
２２    ズーム操作リング
３０    第１レンズ枠
３２    第２レンズ枠
３２Ａ  コマ
３４    第３レンズ枠
３４Ａ  コマ
３６    第４レンズ枠
３６Ａ  コマ
３８    第５レンズ枠
３８Ａ  コマ
４０    絞り機構
６０    ビス
６２    カムフォロア軸
６２Ａ  貫通孔
６２Ｂ  先端部
６４    ローラ
７０    ビス
７２    コマ部材
７２Ａ  貫通孔
７４    ナット
Ａ      第１レンズ群
Ｂ      第２レンズ群
Ｃ      第３レンズ群
Ｄ      第４レンズ群
Ｅ      第５レンズ群
【図１】
2020046462.tif 000003
【図２】
2020046462.tif 000004
【図３】
2020046462.tif 000005
【図４】
2020046462.tif 000006
【図５】
2020046462.tif 000007
【図６】
2020046462.tif 000008